(57)【要約】【課題】  特に結合し合うピースを強固に固定できるジグソーパズルを提供する。【解決手段】  凹凸連結構造が設けられる、複数の結合し合うプラスチックピースから構成される平面式ジグソーパズルであって、前記各プラスチックピースの上面周縁に面取り部が形成されると共に、結合し合う２つのピースが互いに結合し合う側辺の高さに対する該面取り部の高さが、５％から５０％であることを特徴とする。【選択図】  図１１
2011512170.tif 000002
【特許請求の範囲】
【請求項１】
凹凸連結構造が設けられる、複数の結合し合うプラスチックピースから構成される平面式ジグソーパズルであって、
前記各プラスチックピースの上面周縁に面取り部が形成されると共に、結合し合う２つのピースが互いに結合し合う側辺の高さに対する該面取り部の高さが、５％から５０％であることを特徴とする平面式ジグソーパズル。
【請求項２】
前記各プラスチックピースにおける面取り部が円弧状を呈することを特徴とする請求項１に記載の平面式ジグソーパズル。
【請求項３】
その外周に、連結構造が設けられた複数の額縁ピースから構成される額縁が設けられることを特徴とする請求項１に記載の平面式ジグソーパズル。
【請求項４】
前記額縁の内側に、ジグソーパズルの外周上におけるプラスチックピースと連結するための凹凸連結構造が設けられることを特徴とする請求項３に記載の平面式ジグソーパズル。
【請求項５】
前記結合し合う額縁ビースの間に設けられる連結構造は、額縁ピースの前端と後端に設けられ隣り合う額縁ビースに連結される凹凸構造であることを特徴とする請求項４に記載の平面式ジグソーパズル。
【請求項６】
前記額縁における、ジグソーパズルと連結する凹凸構造の上方に、突起状の修飾ブロックが覆設されることを特徴とする請求項５に記載の平面式ジグソーパズル。
【請求項７】
前記額縁ピースに固定構造が設けられることを特徴とする請求項３ないし６の何れか一項に記載の平面式ジグソーパズル。
【請求項８】
前記固定構造が、額縁ピースの底面に設けられる連通状の凹溝と、該凹溝に嵌合される固定ロッドから構成されることを特徴とする請求項７に記載の平面式ジグソーパズル。
【請求項９】
前記額縁ピースの上面及び側面に滑り止め部が設けられることを特徴とする請求項３ない６の何れか一項に記載の平面式ジグソーパズル。
【発明の詳細な説明】
【技術分野】
【０００１】
本発明は、特に復古調の外観を有すると共に、結合し合うピースが強固に固定される、プラスチック製の平面式ジグソーパズルに関するものである。
【背景技術】
【０００２】
平面式ジグソーパズルは一般に、側辺に互いに嵌合し合う凹凸部が形成される多数枚のピースから構成されるものであり、それらのピースは紙から作られることから、材質や加工技術のせいで、結合し合うピースの接触面積が小さく、凹部と凸部を互いに嵌合させても強固に固定できないので、崩れないようにするために額縁に入れて固定するのが普通であった。しかし、額縁は、持ち運びが不便であると共に、費用もかかり、更に、その殆どが、色や形などのデザインがジグソーパズルの色や絵と調和していないので、見た目が悪くなるといった欠点があった。
【０００３】
また、その後、前記の問題を解決するために、プラスチック製のジグソーパズルが開発され、それによれば、結合し合うピースは、互いに相対する側面の全面が接触面となっていることから、嵌合されると強固に固定できるようになった。
【発明の概要】
【発明が解決しようとする課題】
【０００４】
しかしながら、前記従来のプラスチック製ジグソーパズルは、外観が単調であることから、従来のジグソーパズルの風格を有しなく、ピースを嵌合する時に指を挟んでしまう恐れがあった。また、プラスチックは硬い材質であり、許容変形量が小さいことから、結合し合うピースを正しく嵌合できるようにするために、より高いピースの製造精度が求められている。
【０００５】
そこで、出願されたのが本発明であって、結合し合うピースを強固に固定できると共に、美しくてデザイン性に優れ、安全性が高く、更には、高い加工精度を要求されることなく容易に製造することができるプラスチック製の平面式ジグソーパズルを提供することを目的としている。
【課題を解決するための手段】
【０００６】
本発明に係る平面式ジグソーパズルは、凹凸連結構造が設けられる、複数の結合し合うプラスチックピースから構成され、該各プラスチックピースの上面周縁に面取り部が形成されると共に、結合し合う２つのピースが互いに相対する側辺の高さに対する該面取り部の高さが５から５０％、即ち、結合し合う２つのピースが互いに相対する側辺の面積に対する、結合し合う２つのピースが互いに接触する面積は９５から５０％である。また、良好な結合効果を得るために、結合し合う２つのピースが互いに結合し合う側辺の面積に対する、結合し合う２つのピースが互いに接触する面積は、好ましくは６０から８０％であり、最も好ましくは７５％である。この構成によれば、接触面積が大幅に拡大することから、結合し合うピースの結合力も向上するので、ジグソーパズルが完成した後に固定装置を使用しなくても連結した状態を維持することができる。また、ピースがプラスチック製であることから、長く使用しても接触面積は変わらず、良好な結合状態を保つことができる。また、プラスチックピースの上面に面取り部が設けられることから、面取り部によりプラスチックピースの表面と裏面とをすぐに区別することができ、更に面取り部を円弧状にすれば、プラスチックピースを製作する際に生じるバリを防止することができることから、使用時の安全性を高めることができると共に、ピースを嵌合する際に、結合し合うピースの間における変形空間を増やすことができるので、加工精度への要求が緩和され、且つ完成した後のジグソーパズルの上面において従来の紙製品と同様の触感を提供でき、その上、新しい材料から作られた本発明の玩具に復古調の雰囲気を持たせることができる。
【０００７】
完成したジグソーパズルをしっかりと固定して持ち運び易くするために、本発明におけるジグソーパズルの外周に更に額縁が設けられ、該額縁は、複数の額縁ピースから構成され、それらの額縁ピースを枠状に組み合わせるために、結合し合う額縁ピースの間に連結構造が設けられる。尚、前記連結構造は、額縁ピースの前端と後端に夫々設けられ、結合し合う額縁ピースに連結される凹凸構造であることが好ましい。更に、前記額縁の内側に、ジグソーパズルにおける外周上のプラスチックピースと連結するための凹凸連結構造を設けることにより、額縁をジグソーパズルに固定することもできる。
【０００８】
完成したジグソーパズルの外観を一層良好に向上するために、前記額縁におけるジグソーパズルと連結する凹凸構造の上方に、更に突起状の修飾ブロックが覆設され、その修飾ブロックにより額縁とジグソーパズルとの間の凹凸連結構造を覆い隠すことができる。
【０００９】
更に、前記額縁には、額縁ピースの底面に設けられる連通状の凹溝と、該凹溝に嵌合される固定ロッドから構成される固定構造が設けられ、これによれば、額縁の変形を防ぐことができると共に、額縁を掛ける時にも非常に便利となる。尚、前記固定ロッドは、プラスチック製又は金属製のどちらであってもよいが、高強度と軽量化の特性を提供するために、アルミニウムからなることが好ましい。
【００１０】
また、前記額縁ピースの上面及び側面に滑り止め部が設けられるので、持ち運び時の落下を防ぐことができる。
【発明の効果】
【００１１】
本発明の平面式ジグソーパズルは、結合し合うピースの接触面積が大きいことから、従来の額縁を使用しなくても連結した状態を維持できるので、持ち運ぶ際にも崩れる心配はない。また、本発明では、外周に額縁が設けられることから、ジグソーパズルの持ち運びがより便利であると共に、該額縁は、ジグソーパズルと一緒に製造することができる額縁ピースから構成されることから、外観がジグソーパズルと調和しているので、ジグソーパズルの完成時のデザイン性をより一層向上させることができる。
【図面の簡単な説明】
【００１２】
【図１】従来のジグソーパズルの斜視図である。
【図２】従来のジグソーパズルの側面視断面図である。
【図３】従来のジグソーパズルに適用する額縁の斜視図である
【図４】本発明に係る平面式ジグソーパズルの第１実施例の斜視図である。
【図５】本発明に係る平面式ジグソーパズルの第１実施例の側面視断面図である。
【図６】本発明に係る平面式ジグソーパズルにおける額縁の部分斜視図である。
【図７】図６に示す額縁の底面視斜視図。
【図８】本発明に係る平面式ジグソーパズルの第１実施例において、額縁を取り付ける状態を示す分解斜視図である。
【図９】本発明に係る平面式ジグソーパズルの第１実施例において、額縁を取り付けた状態を示す底面視斜視図である。
【図１０】本発明に係る平面式ジグソーパズルの第１実施例における固定構造を示す底面視斜視図である。
【図１１】本発明に係る平面式ジグソーパズルの第１実施例の完成時の状態を示す斜視図である。
【図１２】本発明に係る平面式ジグソーパズルの第２実施例における額縁の部分斜視図である。
【図１３】図１２に示す額縁の底面視斜視図。
【図１４】本発明に係る平面式ジグソーパズルの第２実施例において、額縁を取り付ける状態を示す分解斜視図である。
【図１５】本発明に係る平面式ジグソーパズルの第２実施例において、額縁を取り付けた状態を示す底面視斜視図である。
【図１６】本発明に係る平面式ジグソーパズルの第２実施例における固定構造を示す底面視斜視図である。
【図１７】本発明に係る平面式ジグソーパズルの第２実施例の完成時の状態を示す斜視図である。
【発明を実施するための形態】
【００１３】
図１及び図２に示すように、従来のジグソーパズル１'は、その一面に絵が印刷されると共に、側面にΩ形の凹凸構造が設けられた複数の紙製のピースから構成され、それらのピースは、金型７で紙をカットするプレス加工により作られる。図２に示すように、紙製のジグソーパズルは、側辺の連結面積２'が非常に小さく、横方向は、Ω形の凹凸構造により位置決めされていることからばらばらにはならないが、縦方向は非常に取れ易いので、持ち運びは非常に面倒であった。そのため、ジグソーパズル１'を持ち運ぶ又は壁などに掛ける時には通常、図３に示すように、額縁３'によりジグソーパズル１'を固定するが、ジグソーパズル１'を額縁３'に入れる作業が面倒であるのみならず、該額縁３'の形状や色彩がジグソーパズル１'に合わないので、全体の外観が損なわれることが多かった。
上記の問題に鑑み、本発明は新型の平面式ジグソーパズルを提供するものである。以下、添付図面を参照して本発明の好適な実施の形態を詳細に説明する。
【実施例１】
【００１４】
本発明の第１実施例に示すように、その外観は従来のジグソーパズルと何ら変わらないが、図４に示すように、ジグソーパズル１は、側面にΩ形の凹凸構造が設けられる複数のピースから構成され、結合し合うピースは、Ω形の凹凸構造により連結されるので、横方向には分離しないと共に、図５に示すように、ジグソーパズル１における結合し合う２つのピースの相対する側辺の面積に対する、結合し合う２つのピースの接触面積２は７５％であり、接触高度ｈは総高度Ｈの４分の３である。また、ピースの上面と前記相対する側辺との交差位置に円弧状の面取り部が形成され、これにより、使用時にプラスチックピースの表面と裏面をすぐに区別することができると共に、ピースを製造する際に生じるバリを防止することができるので、安全性を高めることができ、更にジグソーパズルに復古調の雰囲気を持たせることができる。
上記の構成によれば、結合し合う２つピースの接触面積２が大幅に拡大するのに伴ない、結合し合うピースの結合力も向上するので、ジグソーパズルの完成後に固定装置を使用しなくても結合状態を維持することができると共に、該ピースは、プラスチックからなることから、長く使用しても接触面積は変わらないので、良好な結合効果を保つことができる。
【００１５】
図６に示すように、本実施例においては、更にジグソーパズル１の外周に額縁３が設けられ、該額縁３は、結合し合う同士との間に連結構造が設けられ、主に角ピース３１と直線ピース３２を含む複数の額縁ピースから構成される。その内、前記角ピース３１の両側に夫々、直線ピース３２におけるΩ形の突起３２１に連結されるΩ形の凹溝３１２と、他方の直線ピースに連結されるΩ形の突起３１１が設けられると共に、該直線ピース３２に他方の直線ピース３３に連結されるΩ形の突起３２２が形成され、該角ピースと直線ピースとの組み合わせにより、図８に示すような矩形の額縁が構成される。更に、前記直線ピース３２の内側に、ジグソーパズル１における外周上のピースと連結するためのΩ形の凹溝３２３が形成されると共に、他の直線ピースにも同様にΩ形の凹溝又は突起が設けられることにより、図８に示すように、前記額縁３の内側に、ジグソーパズル１と連結する凹凸構造が形成される。
【００１６】
図７に示すように、額縁ピースの底面に凹溝４が形成されることから、図９に示すように、額縁ピースから構成される額縁３の底面に連通状の凹溝４が構成され、更に、図１０に示すように、該凹溝４に金属製またはプラスチック製の固定ロッド５を嵌め込むことにより、該額縁３をより一層強固に固定させることができる。
【００１７】
また、前記額縁３の上面には、滑り止め部３４が設けられることから、持ち運び時の落下を防ぐことができる。
【００１８】
図１１に示すように、本発明の第１実施例によれば、ジグソーパズルが完成すると、額縁とジグソーパズルとの外観が調和していると共に、別途の固定装置を使用しなくても結合状態を維持できるので、持ち運び又は壁などに掛ける際に非常に便利である。
【実施例２】
【００１９】
図１２ないし図１７に示すように、本実施例は、額縁３におけるジグソーパズル１と連結する凹凸構造の上方に、更に修飾ブロック６が設けられるが、それ以外については、実施例１とほぼ同様の構成である。また、図１２及び図１３に示すように、各額縁ピースには夫々、修飾ブロック６が設けられ、直線ピース３２においては、該修飾ブロック６が、ジグソーパズル１における外周上のピースと連結するΩ形の凹溝３２３の上方に設けられ、一方、角ピース３１においては、該修飾ブロック６が、ジグソーパズル１における外周上のピースと連結するΩ形の凹溝３１４及び突起３１３の上方に設けられる。故に、この構成によれば、額縁３の内側に形成される、ジグソーパズル１と連結するための凹凸構造は、修飾ブロック６により覆い隠される。尚、図１５及び図１６に示すように、額縁をジグソーパズル１に取り付ける方法は、実施例１と同様である。
【００２０】
図１７に示すように、本発明の第２実施例によれば、ジグソーパズルが完成すると、額縁３とジグソーパズル１とを連結する構造は、修飾ブロック６により覆い隠されるので、外観のデザイン性をより一層向上させることができる。
【００２１】
上述したように、前記２つの実施例は、本発明の好適な実施の形態を示したものにすぎず、結合し合うピースの接触面積を拡大することにより、ジグソーパズルの結合効果を向上させる構成であれば、本発明の請求範囲に含まれる。
【符号の説明】
【００２２】
１、１'      ジグソーパズル
２、２'      接触面積
３、３'      額縁
３１        角ピース
３１１      突起
３１２      凹溝
３１３      突起
３１４      凹溝
３２、３３  直線ピース
３２１      突起
３２２      突起
３２３      凹溝
３４        滑り止め部
４          凹溝
５          固定ロッド
６          ブロック
７          金型
【図１】
2011512170.tif 000003
【図２】
2011512170.tif 000004
【図３】
2011512170.tif 000005
【図４】
2011512170.tif 000006
【図５】
2011512170.tif 000007
【図６】
2011512170.tif 000008
【図７】
2011512170.tif 000009
【図８】
2011512170.tif 000010
【図９】
2011512170.tif 000011
【図１０】
2011512170.tif 000012
【図１１】
2011512170.tif 000013
【図１２】
2011512170.tif 000014
【図１３】
2011512170.tif 000015
【図１４】
2011512170.tif 000016
【図１５】
2011512170.tif 000017
【図１６】
2011512170.tif 000018
【図１７】
2011512170.tif 000019
【国際調査報告】
2011512170.tif 000020
2011512170.tif 000021
2011512170.tif 000022
2011512170.tif 000023